(57)【要約】【課題】  送信者の状況についてのより詳しい情報をメールで自動送信することが可能なメール自動送信システム、携帯通信端末、メール自動送信方法、及びプログラムを提供する。【解決手段】  所定の位置にてメールの自動送信を行う携帯通信端末であって、位置情報の履歴に基づいて携帯通信端末所持者の移動手段の種類を判別し、移動手段の種類に応じたメールを生成し、受信側通信端末にメールを自動送信する。また、予め設定された所定時間内に位置情報の更新がない場合や、取得された位置情報が所定回数（所定時間）継続して予め登録されたエリア外にある場合は、所定の送信先にメールを自動送信する。【選択図】  図１
2006243949.tif 000002
【特許請求の範囲】
【請求項１】
所定の位置にてメールの自動送信を行う携帯通信端末と、該携帯通信端末からメールを受信する受信側通信端末と、を有するメール自動送信システムであって、
前記携帯通信端末は、
位置情報の履歴に基づいて前記携帯通信端末所持者の移動手段の種類を判別し、前記移動手段の種類に応じたメールを生成し、前記受信側通信端末に該メールを自動送信する制御を行う制御手段を有することを特徴とするメール自動送信システム。
【請求項２】
所定の位置にてメールの自動送信を行う携帯通信端末と、該携帯通信端末からメールを受信する受信側通信端末と、を有するメール自動送信システムであって、
前記携帯通信端末は、
ＧＰＳ衛星から位置情報を取得する測位手段と、
少なくとも前記位置情報及びメールの自動送信に必要な情報を格納する記憶手段と、
前記位置情報の履歴に基づいて前記携帯通信端末所持者の移動手段の種類を判別し、前記メールの自動送信に必要な情報に基づいて、前記移動手段の種類に応じたメールを生成し、前記受信側通信端末に該メールを自動送信する制御を行う制御手段と、
を有することを特徴とするメール自動送信システム。
【請求項３】
前記制御手段は、所定の区間において取得した位置情報の履歴に基づいて前記携帯通信端末所持者の移動時間及び移動距離を測定し、該移動時間及び該移動距離を基に移動速度を算出し、該移動速度に基づいて前記携帯通信端末所持者の移動手段の種類を判別し、該移動手段の種類に基づいて所定のメッセージを選択することを特徴とする請求項１又は２記載のメール自動送信システム。
【請求項４】
前記制御手段は、前記位置情報が所定の時間内に更新されない場合は、前記携帯通信端末所持者が移動していないことを示すメールを生成し、前記受信側通信端末に該メールを自動送信することを特徴とする請求項１から３のいずれか１項に記載のメール自動送信システム。
【請求項５】
前記制御手段は、前記位置情報が所定の時間の間予め登録された位置以外の情報である場合は、前記携帯通信端末所持者が移動していないことを示すメールを生成し、前記受信側通信端末に該メールを自動送信することを特徴とする請求項１から４いずれか１項に記載のメール自動送信システム。
【請求項６】
所定の位置にてメールの自動送信を行う携帯通信端末と、該携帯通信端末からメールを受信する受信側通信端末と、を有するメール自動送信システムであって、
前記携帯通信端末は、
位置情報が所定の時間内に更新されない場合は、前記携帯通信端末所持者が移動していないことを示すメールを生成し、前記受信側通信端末に該メールを自動送信する制御を行う制御手段を有することを特徴とするメール自動送信システム。
【請求項７】
所定の位置にてメールの自動送信を行う携帯通信端末と、該携帯通信端末からメールを受信する受信側通信端末と、を有するメール自動送信システムであって、
前記携帯通信端末は、
ＧＰＳ衛星から位置情報を取得する測位手段と、
少なくとも前記位置情報及びメールの自動送信に必要な情報を格納する記憶手段と、
前記測位手段にて取得される位置情報が所定の時間内に更新されない場合は、前記メールの自動送信に必要な情報に基づいて、前記携帯通信端末所持者が移動していないことを示すメールを生成し、前記受信側通信端末に該メールを自動送信する制御を行う制御手段と、
を有することを特徴とするメール自動送信システム。
【請求項８】
前記制御手段は、前記位置情報が所定の時間の間予め登録された位置以外の情報である場合は、前記携帯通信端末所持者が移動していないことを示すメールを生成し、前記受信側通信端末に該メールを自動送信することを特徴とする請求項６又は７記載のメール自動送信システム。
【請求項９】
所定の位置にてメールの自動送信を行う携帯通信端末であって、
位置情報の履歴に基づいて前記携帯通信端末所持者の移動手段の種類を判別し、前記移動手段の種類に応じたメールを生成し、所定の送信先に該メールを自動送信する制御を行う制御手段を有することを特徴とする携帯通信端末。
【請求項１０】
所定の位置にてメールの自動送信を行う携帯通信端末であって、
ＧＰＳ衛星から位置情報を取得する測位手段と、
少なくとも前記位置情報及びメールの自動送信に必要な情報を格納する記憶手段と、
前記位置情報の履歴に基づいて前記携帯通信端末所持者の移動手段の種類を判別し、前記メールの自動送信に必要な情報に基づいて、前記移動手段の種類に応じたメールを生成し、所定の送信先に該メールを自動送信する制御を行う制御手段と、
を有することを特徴とする携帯通信端末。
【請求項１１】
前記制御手段は、所定の区間において取得した位置情報の履歴に基づいて前記携帯通信端末所持者の移動時間及び移動距離を測定し、該移動時間及び該移動距離を基に移動速度を算出し、該移動速度に基づいて前記携帯通信端末所持者の移動手段の種類を判別し、該移動手段の種類に基づいて所定のメッセージを選択することを特徴とする請求項９又は１０記載の携帯通信端末。
【請求項１２】
前記制御手段は、前記位置情報が所定の時間内に更新されない場合は、前記携帯通信端末所持者が移動していないことを示すメールを生成し、所定の送信先に該メールを自動送信することを特徴とする請求項９から１１のいずれか１項に記載の携帯通信端末。
【請求項１３】
前記制御手段は、前記位置情報が所定の時間の間予め登録された位置以外の情報である場合は、前記携帯通信端末所持者が移動していないことを示すメールを生成し、所定の送信先に該メールを自動送信することを特徴とする請求項９から１２いずれか１項に記載の携帯通信端末。
【請求項１４】
所定の位置にてメールの自動送信を行う携帯通信端末であって、
位置情報が所定の時間内に更新されない場合は、前記携帯通信端末所持者が移動していないことを示すメールを生成し、所定の送信先に該メールを自動送信する制御を行う制御手段を有することを特徴とする携帯通信端末。
【請求項１５】
所定の位置にてメールの自動送信を行う携帯通信端末であって、
ＧＰＳ衛星から位置情報を取得する測位手段と、
少なくとも前記位置情報及びメールの自動送信に必要な情報を格納する記憶手段と、
前記測位手段にて取得される位置情報が所定の時間内に更新されない場合は、前記メールの自動送信に必要な情報に基づいて、前記携帯通信端末所持者が移動していないことを示すメールを生成し、所定の送信先に該メールを自動送信する制御を行う制御手段と、
を有することを特徴とする携帯通信端末。
【請求項１６】
前記制御手段は、前記位置情報が所定の時間の間予め登録された位置以外の情報である場合は、前記携帯通信端末所持者が移動していないことを示すメールを生成し、所定の送信先に該メールを自動送信することを特徴とする請求項１４又は１５記載の携帯通信端末。
【請求項１７】
携帯通信端末を用いて所定の位置にてメールの自動送信を行うメール自動送信方法であって、
位置情報の履歴に基づいて前記携帯通信端末所持者の移動手段の種類を判別し、
前記移動手段の種類に応じたメールを生成し、
所定の送信先に該メールを自動送信することを特徴とするメール自動送信方法。
【請求項１８】
携帯通信端末を用いて所定の位置にてメールの自動送信を行うメール自動送信方法であって、
メールの自動送信に必要な情報を予め登録し、
ＧＰＳ衛星から位置情報を取得し、
前記位置情報の履歴に基づいて前記携帯通信端末所持者の移動手段の種類を判別し、
前記メールの自動送信に必要な情報に基づいて、前記移動手段の種類に応じたメールを生成し、
所定の送信先に該メールを自動送信することを特徴とするメール自動送信方法。
【請求項１９】
所定の区間において取得した位置情報の履歴に基づいて前記携帯通信端末所持者の移動時間及び移動距離を測定し、該移動時間及び該移動距離を基に移動速度を算出し、該移動速度に基づいて前記携帯通信端末所持者の移動手段の種類を判別し、該移動手段の種類に基づいて所定のメッセージを選択することを特徴とする請求項１７又は１８記載のメール自動送信方法。
【請求項２０】
前記位置情報が所定の時間内に更新されない場合は、前記携帯通信端末所持者が移動していないことを示すメールを生成し、所定の送信先に該メールを自動送信することを特徴とする請求項１７から１９のいずれか１項に記載のメール自動送信方法。
【請求項２１】
前記位置情報が所定の時間の間予め登録された位置以外の情報である場合は、前記携帯通信端末所持者が移動していないことを示すメールを生成し、所定の送信先に該メールを自動送信することを特徴とする請求項１７から２０いずれか１項に記載のメール自動送信方法。
【請求項２２】
携帯通信端末を用いて所定の位置にてメールの自動送信を行うメール自動送信方法であって、
位置情報が所定の時間内に更新されない場合は、前記携帯通信端末所持者が移動していないことを示すメールを生成し、所定の送信先に該メールを自動送信することを特徴とするメール自動送信方法。
【請求項２３】
携帯通信端末を用いて所定の位置にてメールの自動送信を行うメール自動送信方法であって、
メールの自動送信に必要な情報を予め登録し、
ＧＰＳ衛星から位置情報を取得し、
前記取得した位置情報が所定の時間内に更新されない場合は、前記メールの自動送信に必要な情報に基づいて、前記携帯通信端末所持者が移動していないことを示すメールを生成し、
所定の送信先に該メールを自動送信することを特徴とするメール自動送信方法。
【請求項２４】
前記位置情報が所定の時間の間予め登録された位置以外の情報である場合は、前記携帯通信端末所持者が移動していないことを示すメールを生成し、所定の送信先に該メールを自動送信することを特徴とする請求項２２又は２３記載のメール自動送信方法。
【請求項２５】
携帯通信端末を用いて所定の位置にてメールの自動送信を行うためのプロラムであって、
位置情報の履歴に基づいて前記携帯通信端末所持者の移動手段の種類を判別する処理と、
前記移動手段の種類に応じたメールを生成する処理と、
所定の送信先に該メールを自動送信する処理と、
をコンピュータに実行させるプログラム。
【請求項２６】
携帯通信端末を用いて所定の位置にてメールの自動送信を行うためのプログラムであって、
メールの自動送信に必要な情報を登録する処理と、
ＧＰＳ衛星から位置情報を取得する処理と、
前記位置情報の履歴に基づいて前記携帯通信端末所持者の移動手段の種類を判別する処理と、
前記メールの自動送信に必要な情報に基づいて前記移動手段の種類に応じたメールを生成する処理と、
所定の送信先に該メールを自動送信する処理と、
をコンピュータに実行させるプログラム。
【請求項２７】
所定の区間において取得した位置情報の履歴に基づいて前記携帯通信端末所持者の移動時間及び移動距離を測定する処理と、
該移動時間及び該移動距離を基に移動速度を算出する処理と、
該移動速度に基づいて前記携帯通信端末所持者の移動手段の種類を判別する処理と、
該移動手段の種類に基づいて所定のメッセージを選択する処理と、
をコンピュータに実行させる請求項２５又は２６記載のプログラム。
【請求項２８】
前記位置情報が所定の時間内に更新されない場合は、前記携帯通信端末所持者が移動していないことを示すメールを生成する処理と、
所定の送信先に該メールを自動送信する処理と、
をコンピュータに実行させる請求項２５から２７のいずれか１項に記載のプログラム。
【請求項２９】
前記位置情報が所定の時間の間予め登録された位置以外の情報である場合は、前記携帯通信端末所持者が移動していないことを示すメールを生成する処理と、
所定の送信先に該メールを自動送信する処理と、
をコンピュータに実行させる請求項２５から２８いずれか１項に記載のプログラム。
【請求項３０】
携帯通信端末を用いて所定の位置にてメールの自動送信を行うためのプログラムであって、
位置情報が所定の時間内に更新されない場合は、前記携帯通信端末所持者が移動していないことを示すメールを生成する処理と、
所定の送信先に該メールを自動送信処理と、
をコンピュータに実行させるプログラム。
【請求項３１】
携帯通信端末を用いて所定の位置にてメールの自動送信を行うためのプログラムであって、
メールの自動送信に必要な情報を登録する処理と、
ＧＰＳ衛星から位置情報を取得する処理と、
前記取得した位置情報が所定の時間内に更新されない場合は、前記メールの自動送信に必要な情報に基づいて、前記携帯通信端末所持者が移動していないことを示すメールを生成する処理と、
所定の送信先に該メールを自動送信する処理と、
をコンピュータに実行させるプログラム。
【請求項３２】
前記位置情報が所定の時間の間予め登録された位置以外の情報である場合は、前記携帯通信端末所持者が移動していないことを示すメールを生成する処理と、
所定の送信先に該メールを自動送信する処理と、
をコンピュータに実行させる請求項３０又は３１記載のプログラム。
【発明の詳細な説明】
【技術分野】
【０００１】
本発明は、所定の位置、エリア（例えば、目的地から数キロの範囲）への入出を検出し、自動的にメール送信を行うメール自動送信システム、携帯通信端末、メール自動送信方法、及びプログラムに関する。
【背景技術】
【０００２】
従来、携帯電話等の携帯通信端末の普及に伴い、例えば、バス、電車、自転車などを利用して帰宅する途中で「あと何分で家に着くのでご飯の用意をお願い！」などとメールで連絡を行ったり、あるいは、待ち合わせ時刻に遅れそうになった時に「あと何分で着くから！」とメールで送信したりすることで、要件の連絡とともに、メールの受信者に無事な旨の通知が行われている。
【０００３】
しかし、近年、自動車運転中の携帯電話の使用は禁止され、また、運転中のメール送受信に関する操作を行うことは厳禁となった。また、バス・電車等の公共交通機関利用中の携帯電話利用は周囲の人に不快感を与えるため、避ける必要がある。更に、自転車に乗っている時や、手荷物を抱えている時などはメールで連絡することは困難である。また、子供や心身に障害のある人が送信者である場合は、こまめにメールの送信を行うことは難しい。また、メール送信を煩雑と感じて行わないなどによりメール通知がなされない、又は、人混み等の混雑の中にいてメール通知ができない状況も存在する。以上のことから、状況や利用者（送信者）によっては、メール送信操作が困難な場合が多数存在する。
【０００４】
上記問題を解決するための従来技術例として、移動中において、メールの作成操作や送信操作を行わずに、所定の送信先に自動的にメールを送信することができる携帯電話等がある（例えば、特許文献１〜３参照）。
【特許文献１】特開２００３−３４８１９５号公報
【特許文献２】特開２００４−２２９２１０号公報
【特許文献３】特開２００４−４５１１７号公報
【発明の開示】
【発明が解決しようとする課題】
【０００５】
しかしながら、上記特許文献１〜３記載の発明は、移動中において、定型文のメールを自動的に送信するものであり、例えば、メールの送信者に緊急事態が生じて移動できなくなってしまった場合は、メールの自動送信が行われないという問題がある。
【０００６】
本発明は、上記事情に鑑みてなされたものであり、送信者の状況についてのより詳しい情報をメールで自動送信することが可能なメール自動送信システム、携帯通信端末、メール自動送信方法、及びプログラムを提供することを目的とする。
【課題を解決するための手段】
【０００７】
かかる目的を達成するために、請求項１記載の発明は、所定の位置にてメールの自動送信を行う携帯通信端末と、携帯通信端末からメールを受信する受信側通信端末と、を有するメール自動送信システムであって、携帯通信端末は、位置情報の履歴に基づいて携帯通信端末所持者の移動手段の種類を判別し、移動手段の種類に応じたメールを生成し、受信側通信端末にメールを自動送信する制御を行う制御手段を有することを特徴とする。
【０００８】
請求項２記載の発明は、所定の位置にてメールの自動送信を行う携帯通信端末と、携帯通信端末からメールを受信する受信側通信端末と、を有するメール自動送信システムであって、携帯通信端末は、ＧＰＳ衛星から位置情報を取得する測位手段と、少なくとも位置情報及びメールの自動送信に必要な情報を格納する記憶手段と、位置情報の履歴に基づいて携帯通信端末所持者の移動手段の種類を判別し、メールの自動送信に必要な情報に基づいて、移動手段の種類に応じたメールを生成し、受信側通信端末にメールを自動送信する制御を行う制御手段と、を有することを特徴とする。
【０００９】
請求項３記載の発明は、請求項１又は２記載の発明において、制御手段は、所定の区間において取得した位置情報の履歴に基づいて携帯通信端末所持者の移動時間及び移動距離を測定し、移動時間及び移動距離を基に移動速度を算出し、移動速度に基づいて携帯通信端末所持者の移動手段の種類を判別し、移動手段の種類に基づいて所定のメッセージを選択することを特徴とする。
【００１０】
請求項４記載の発明は、請求項１から３のいずれか１項に記載の発明において、制御手段は、位置情報が所定の時間内に更新されない場合は、携帯通信端末所持者が移動していないことを示すメールを生成し、受信側通信端末にメールを自動送信することを特徴とする。
【００１１】
請求項５記載の発明は、請求項１から４のいずれか１項に記載の発明において、制御手段は、位置情報が所定の時間の間予め登録された位置以外の情報である場合は、携帯通信端末所持者が移動していないことを示すメールを生成し、受信側通信端末にメールを自動送信することを特徴とする。
【００１２】
請求項６記載の発明は、所定の位置にてメールの自動送信を行う携帯通信端末と、携帯通信端末からメールを受信する受信側通信端末と、を有するメール自動送信システムであって、携帯通信端末は、位置情報が所定の時間内に更新されない場合は、携帯通信端末所持者が移動していないことを示すメールを生成し、受信側通信端末にメールを自動送信する制御を行う制御手段を有することを特徴とする。
【００１３】
請求項７記載の発明は、所定の位置にてメールの自動送信を行う携帯通信端末と、携帯通信端末からメールを受信する受信側通信端末と、を有するメール自動送信システムであって、携帯通信端末は、ＧＰＳ衛星から位置情報を取得する測位手段と、少なくとも位置情報及びメールの自動送信に必要な情報を格納する記憶手段と、測位手段にて取得される位置情報が所定の時間内に更新されない場合は、メールの自動送信に必要な情報に基づいて、携帯通信端末所持者が移動していないことを示すメールを生成し、受信側通信端末にメールを自動送信する制御を行う制御手段と、を有することを特徴とする。
【００１４】
請求項８記載の発明は、請求項６又は７記載の発明において、制御手段は、位置情報が所定の時間の間予め登録された位置以外の情報である場合は、携帯通信端末所持者が移動していないことを示すメールを生成し、受信側通信端末にメールを自動送信することを特徴とする。
【００１５】
請求項９記載の発明は、所定の位置にてメールの自動送信を行う携帯通信端末であって、位置情報の履歴に基づいて携帯通信端末所持者の移動手段の種類を判別し、移動手段の種類に応じたメールを生成し、所定の送信先にメールを自動送信する制御を行う制御手段を有することを特徴とする。
【００１６】
請求項１０記載の発明は、所定の位置にてメールの自動送信を行う携帯通信端末であって、ＧＰＳ衛星から位置情報を取得する測位手段と、少なくとも位置情報及びメールの自動送信に必要な情報を格納する記憶手段と、位置情報の履歴に基づいて携帯通信端末所持者の移動手段の種類を判別し、メールの自動送信に必要な情報に基づいて、移動手段の種類に応じたメールを生成し、所定の送信先にメールを自動送信する制御を行う制御手段と、を有することを特徴とする。
【００１７】
請求項１１記載の発明は、請求項９又は１０記載の発明において、制御手段は、所定の区間において取得した位置情報の履歴に基づいて携帯通信端末所持者の移動時間及び移動距離を測定し、移動時間及び移動距離を基に移動速度を算出し、移動速度に基づいて携帯通信端末所持者の移動手段の種類を判別し、移動手段の種類に基づいて所定のメッセージを選択することを特徴とする。
【００１８】
請求項１２記載の発明は、請求項９から１１のいずれか１項に記載の発明において、制御手段は、位置情報が所定の時間内に更新されない場合は、携帯通信端末所持者が移動していないことを示すメールを生成し、所定の送信先にメールを自動送信することを特徴とする。
【００１９】
請求項１３記載の発明は、請求項９から１２のいずれか１項に記載の発明において、制御手段は、位置情報が所定の時間の間予め登録された位置以外の情報である場合は、携帯通信端末所持者が移動していないことを示すメールを生成し、所定の送信先にメールを自動送信することを特徴とする。
【００２０】
請求項１４記載の発明は、所定の位置にてメールの自動送信を行う携帯通信端末であって、位置情報が所定の時間内に更新されない場合は、携帯通信端末所持者が移動していないことを示すメールを生成し、所定の送信先にメールを自動送信する制御を行う制御手段を有することを特徴とする。
【００２１】
請求項１５記載の発明は、所定の位置にてメールの自動送信を行う携帯通信端末であって、ＧＰＳ衛星から位置情報を取得する測位手段と、少なくとも位置情報及びメールの自動送信に必要な情報を格納する記憶手段と、測位手段にて取得される位置情報が所定の時間内に更新されない場合は、メールの自動送信に必要な情報に基づいて、携帯通信端末所持者が移動していないことを示すメールを生成し、所定の送信先にメールを自動送信する制御を行う制御手段と、を有することを特徴とする。
【００２２】
請求項１６記載の発明は、請求項１４又は１５記載の発明において、制御手段は、位置情報が所定の時間の間予め登録された位置以外の情報である場合は、携帯通信端末所持者が移動していないことを示すメールを生成し、所定の送信先にメールを自動送信することを特徴とする。
【００２３】
請求項１７記載の発明は、携帯通信端末を用いて所定の位置にてメールの自動送信を行うメール自動送信方法であって、位置情報の履歴に基づいて携帯通信端末所持者の移動手段の種類を判別し、移動手段の種類に応じたメールを生成し、所定の送信先にメールを自動送信することを特徴とする。
【００２４】
請求項１８記載の発明は、携帯通信端末を用いて所定の位置にてメールの自動送信を行うメール自動送信方法であって、メールの自動送信に必要な情報を予め登録し、ＧＰＳ衛星から位置情報を取得し、位置情報の履歴に基づいて携帯通信端末所持者の移動手段の種類を判別し、メールの自動送信に必要な情報に基づいて、移動手段の種類に応じたメールを生成し、所定の送信先にメールを自動送信することを特徴とする。
【００２５】
請求項１９記載の発明は、請求項１７又は１８記載の発明において、所定の区間において取得した位置情報の履歴に基づいて携帯通信端末所持者の移動時間及び移動距離を測定し、移動時間及び移動距離を基に移動速度を算出し、移動速度に基づいて携帯通信端末所持者の移動手段の種類を判別し、移動手段の種類に基づいて所定のメッセージを選択することを特徴とする。
【００２６】
請求項２０記載の発明は、請求項１７から１９のいずれか１項に記載の発明において、位置情報が所定の時間内に更新されない場合は、携帯通信端末所持者が移動していないことを示すメールを生成し、所定の送信先にメールを自動送信することを特徴とする。
【００２７】
請求項２１記載の発明は、請求項１７から２０のいずれか１項に記載の発明において、位置情報が所定の時間の間予め登録された位置以外の情報である場合は、携帯通信端末所持者が移動していないことを示すメールを生成し、所定の送信先にメールを自動送信することを特徴とする。
【００２８】
請求項２２記載の発明は、携帯通信端末を用いて所定の位置にてメールの自動送信を行うメール自動送信方法であって、位置情報が所定の時間内に更新されない場合は、携帯通信端末所持者が移動していないことを示すメールを生成し、所定の送信先にメールを自動送信することを特徴とする。
【００２９】
請求項２３記載の発明は、携帯通信端末を用いて所定の位置にてメールの自動送信を行うメール自動送信方法であって、メールの自動送信に必要な情報を予め登録し、ＧＰＳ衛星から位置情報を取得し、取得した位置情報が所定の時間内に更新されない場合は、メールの自動送信に必要な情報に基づいて、携帯通信端末所持者が移動していないことを示すメールを生成し、所定の送信先にメールを自動送信することを特徴とする。
【００３０】
請求項２４記載の発明は、請求項２２又は２３記載の発明において、位置情報が所定の時間の間予め登録された位置以外の情報である場合は、携帯通信端末所持者が移動していないことを示すメールを生成し、所定の送信先にメールを自動送信することを特徴とする。
【００３１】
請求項２５記載の発明は、携帯通信端末を用いて所定の位置にてメールの自動送信を行うためのプロラムであって、位置情報の履歴に基づいて携帯通信端末所持者の移動手段の種類を判別する処理と、移動手段の種類に応じたメールを生成する処理と、所定の送信先にメールを自動送信する処理と、をコンピュータに実行させる。
【００３２】
請求項２６記載の発明は、携帯通信端末を用いて所定の位置にてメールの自動送信を行うためのプログラムであって、メールの自動送信に必要な情報を登録する処理と、ＧＰＳ衛星から位置情報を取得する処理と、位置情報の履歴に基づいて携帯通信端末所持者の移動手段の種類を判別する処理と、メールの自動送信に必要な情報に基づいて移動手段の種類に応じたメールを生成する処理と、所定の送信先にメールを自動送信する処理と、をコンピュータに実行させる。
【００３３】
請求項２７記載の発明は、請求項２５又は２６記載の発明において、所定の区間において取得した位置情報の履歴に基づいて携帯通信端末所持者の移動時間及び移動距離を測定する処理と、移動時間及び移動距離を基に移動速度を算出する処理と、移動速度に基づいて携帯通信端末所持者の移動手段の種類を判別する処理と、移動手段の種類に基づいて所定のメッセージを選択する処理と、をコンピュータに実行させる。
【００３４】
請求項２８記載の発明は、請求項２５から２７のいずれか１項に記載の発明において、位置情報が所定の時間内に更新されない場合は、携帯通信端末所持者が移動していないことを示すメールを生成する処理と、所定の送信先にメールを自動送信する処理と、をコンピュータに実行させる。
【００３５】
請求項２９記載の発明は、請求項２５から２８のいずれか１項に記載の発明において、位置情報が所定の時間の間予め登録された位置以外の情報である場合は、携帯通信端末所持者が移動していないことを示すメールを生成する処理と、所定の送信先にメールを自動送信する処理と、をコンピュータに実行させる。
【００３６】
請求項３０記載の発明は、携帯通信端末を用いて所定の位置にてメールの自動送信を行うためのプログラムであって、位置情報が所定の時間内に更新されない場合は、携帯通信端末所持者が移動していないことを示すメールを生成する処理と、所定の送信先にメールを自動送信処理と、をコンピュータに実行させる。
【００３７】
請求項３１記載の発明は、携帯通信端末を用いて所定の位置にてメールの自動送信を行うためのプログラムであって、メールの自動送信に必要な情報を登録する処理と、ＧＰＳ衛星から位置情報を取得する処理と、取得した位置情報が所定の時間内に更新されない場合は、メールの自動送信に必要な情報に基づいて、携帯通信端末所持者が移動していないことを示すメールを生成する処理と、所定の送信先にメールを自動送信する処理と、をコンピュータに実行させる。
【００３８】
請求項３２記載の発明は、請求項３０又は３１記載の発明において、位置情報が所定の時間の間予め登録された位置以外の情報である場合は、携帯通信端末所持者が移動していないことを示すメールを生成する処理と、所定の送信先にメールを自動送信する処理と、をコンピュータに実行させる。
【発明の効果】
【００３９】
本発明によれば、送信者の状況についてのより詳しい情報をメールで自動送信することができる。
【発明を実施するための最良の形態】
【００４０】
以下、本発明を実施するための最良の形態について添付図面を参照して詳細に説明する。
【実施例１】
【００４１】
まず、本発明の実施例１に係るメール自動送信システムについて以下に説明する。図１に示すように、本実施例のメール自動送信システムは、各ＧＰＳ衛星から位置情報を取得することが可能なＧＰＳ機能付き携帯通信端末１００と、自宅や目的地に設置され、メールサーバ２００を介して携帯通信端末１００から送信されるメールを受信する通信端末３００と、から主に構成される。携帯通信端末１００は、携帯電話機やＰＤＡ等、通信機能（メール送受信機能及びＧＰＳ機能）を備えた、携行可能な情報処理装置（移動体通信端末）である。メールサーバ２００は、メールの送受信管理を行うワークステーションサーバ等であり、従来一般的に用いられているものである。通信端末３００は、パーソナルコンピュータ（ＰＣ）等、通信機能（メール送受信機能）を備えた情報処理装置である。なお、通信端末３００は、携帯電話機やＰＤＡ等、通信機能（メール送受信機能）を備えた、携行可能な情報処理装置（移動体通信端末）であってもよい。
【００４２】
上記構成のメール自動送信システムの動作の概要について説明する。まず、送信側であるＧＰＳ機能付き携帯通信端末１００において、図１及び図６に示す各種情報（メールの自動送信を行うために必要な情報、以下メール自動送信情報という）が予め登録される。なお、この各種情報の詳細については以下に説明する。メール自動送信情報が登録された携帯通信端末１００は、ＧＰＳ衛星から現在の存在地点を示す位置情報を取得する。そして、携帯通信端末１００は、取得した位置情報と、メール送信を行う位置（又はエリア）を示すメール送信位置情報（又はエリア情報）とを比較して一致するか否かを判定し、両情報が一致する場合は、予め登録されたメール送信先である通信端末３００に対し、メールサーバ２００を介して、予め登録されたメール本文を送信する。なお、動作の詳細については、上記特許文献１〜３の従来例に記載されている内容を適用してもよい。
【００４３】
本実施例では、上記動作において、ＧＰＳ衛星から取得した位置情報に基づいて移動時間を算出し、算出した移動時間に基づいて携帯通信端末１００の所持者の移動手段の種類（例えば、徒歩、自転車、自動車、電車等）を判別する。そして、判別した移動手段をメール本文の内容に加え、通信端末３００へ送信する。これにより、メールの受信者側（通信端末３００）は、受信メールから送信者（携帯通信端末１００）の移動手段を把握することができる。
【００４４】
また、本実施例では、携帯通信端末１００において予め設定された所定時間内に位置情報の更新がない場合や、取得された位置情報が所定回数（所定時間）継続して予め登録された位置（エリア）外にある場合は、携帯通信端末１００は、所定の送信先である通信端末３００にメールを自動送信する。これにより、メールの受信者側（通信端末３００）は、受信メールから送信者（携帯通信端末１００）が移動中でないことを把握することができる。
【００４５】
次に、上記本実施例のメール自動送信システムで用いられる携帯通信端末について以下に説明する。本実施例の携帯通信端末１００は、図２に示すように、アンテナを介して図示しない無線通信基地局との間で無線信号を送受する無線通信部１０１と、ＧＰＳ衛星から発射された電波が端末に到達するまでの時間を測定し、この時間差に光速度を乗じることで衛星と端末との距離を求め、この距離を利用して位置座標を未知数とした方程式を解くことにより端末位置座標を求め、その結果を位置情報として取得する測位部（ＧＰＳ部）１０２と、各種情報入力を行うためのテンキーやスクロール／決定キー等から構成される操作部１０３と、テキストや画像などの表示情報出力を行う表示部１０４と、音声信号処理を行う音声処理部１０５への出入力を行うスピーカ（受話部）１０６及びマイク（送話部）１０７と、イメージ情報の取得を行う撮像部（カメラ）１０８と、楽音や報知音等を出力するスピーカ１０９（放音部）と、電話帳情報、送受信メール情報、発着呼情報、コンテンツ情報、アプリケーション情報、メール本文・メール送信先アドレス・メール送信位置情報（エリア情報）等を含むメール送信情報、携帯通信端末の各種設定に用いる情報、等を格納する記憶部１１０と、電話機能、ＷＥＢ接続機能、メール送受信、コンテンツ出力機能、カメラ機能、測位機能などについて上記端末各部の制御を行う制御部１１１と、から主に構成される。
【００４６】
次に、本実施例の携帯通信端末１００の動作について、図１〜図４及び図６を参照して詳細に説明する。なお、本実施例の携帯通信端末１００は、プログラム制御により以下に説明する処理（図４及び図５）を実行する。メール自動送信を行うための制御プログラムは、工場での製造時における端末自体への格納、ネットワークを介してのダウンロード、記録媒体からの読み込み、等のどれでもよい。
【００４７】
まず、携帯通信端末１００においてユーザ等が所定の操作を行い、図１及び図６に示す各種情報（メール自動送信情報）を記憶部１１０に予め登録しておく（記憶させる）ものとする。ここで、メール自動送信情報を構成する各種情報について説明する。
【００４８】
〈メール送信位置情報〉
メールの自動送信を行う位置を示す情報であり、複数の位置（本実施例では、××学校，●●駅，○○屋，自宅）を登録することができる。このメール送信位置情報は、所定の位置についての、緯度／経度、住所や駅名・施設名・店名、携帯通信端末のディスプレイに表示される地図上にて指定されるポインタ、等が含まれる。なお、このメール送信位置情報において、緯度／経度の情報（例えば、東経△△度△△分・北緯××度××分などの数値）は、携帯通信端末の所定の機能によって予め実測したり、あるいは、図示しない位置情報管理サーバ（住所、施設名、建物名を送信すると緯度／経度の情報を返信する機能を有するサーバ）等を介して予め取得したりして、記憶部１１０に格納しておく。
【００４９】
〈エリア情報〉
メール送信位置情報で示す位置を中心としたエリア（図３参照）を示す情報であり、例えば、エリアＡは××学校から半径２キロメートル以内というように距離を示す数値情報である。このエリア情報も、図６に示すように複数のエリア（本実施例ではＡ，Ｂ，Ｃ，Ｄ）を登録可能とする。
【００５０】
〈入／出判定情報〉
メール送信位置情報又はエリア情報の位置／エリアに入った時（入）、あるいは位置／エリアを出た時（出）のどちらのタイミングでメールを自動送信するのかを設定するための情報である。
【００５１】
〈送信先のメールアドレス〉
メールの送信先となる通信端末のメールアドレスである。図６に示すように、１つのエリア情報（メール送信位置情報）に対して複数の送信先を設定するようにしたり（例えば、エリアＢ）、又は、エリア情報（メール送信位置情報）毎に別々の送信先を設定したりすることができる。
【００５２】
〈送信するメール本文の内容〉
送信するメール本文の内容（メッセージ文）であり、図６に示すように定型文として設定される。なお、送信するメールには、予め設定された、画像や着信音（着信メロディ）等が添付されるようにしてもよい。
【００５３】
以上のメール自動送信情報が登録された携帯通信端末１００の動作は、図４に示すように、まず測位部１０２において、ＧＰＳ衛星から例えば所定時間間隔で位置情報の取得を行い（ステップＳ１１）、取得した位置情報を記憶部１１０に登録又は更新する（ステップＳ１２）。なお、ＧＰＳ衛星から取得した位置情報は、履歴として所定の取得回数分が記憶部１１０に格納される。例えば、最新の位置情報から５０回分が格納及び管理される。
【００５４】
次に、携帯通信端末１００の制御部１１１は、測位部１０２により取得した位置情報と、記憶部１１０に格納されているメール送信位置情報（又はエリア情報）との一致／不一致を判定する（ステップＳ１３）。なお、位置又はエリアのどちらか一方でメール自動送信を行うように判定してもよいし、あるいは、位置とエリアの両方でメール自動送信を行うように判定してもよい。
【００５５】
両情報が一致する場合は（ステップＳ１３／ＹＥＳ）、制御部１１１は、当該位置／エリアへの入出を、記憶部１１０に格納された入／出判定情報に基づいて判定する（ステップＳ１４）。判定の結果、当該位置／エリアと、"入"あるいは"出"の条件とが一致した場合は、制御部１１１は、メールの送信が必要であるか否か、すなわち、携帯通信端末がメール自動送信を行うように設定されているか否か（メール自動送信モードの設定の有無）を判断する（ステップＳ１５）。なお、このメール自動送信モードの設定は、携帯通信端末における所定の操作により、オン／オフの切り替えができるものとし、一時的に利用しない場合は、設定の一時解除も可能とする。
【００５６】
メール自動送信モードの設定がされている場合、制御部１１１は、メールの自動送信が必要であると判断し（ステップＳ１５／ＹＥＳ）、特定の２地点間（所定の区間）において取得した位置情報の履歴に基づいて移動時間及び移動距離を測定し、移動速度を算出する。そして、制御部１１１は、算出した移動速度に基づいて携帯通信端末所持者の移動手段（徒歩、自転車、バス、電車<各停、急行、快速、特急>等）の種類を判別し、さらに、判別した移動手段の種類に基づいて、記憶部１１０から所定のメッセージを選択する（ステップＳ１６）。なお、上記移動手段の判別は、予め記憶部１１０に登録された、移動速度と移動手段とが関連付いたテーブル（例えば、時速１〜６ｋｍ＝徒歩、時速１０〜２５ｋｍ＝自転車等）に基づいて行われる。また、メッセージの選択は、移動手段の種類と、各移動手段に対応するメッセージとが関連付いたテーブル（例えば、徒歩＝「歩いて帰ります。」等）に基づいて行われる。
【００５７】
そして、制御部１１１は、予め登録された送信先のメールアドレスと、送信するメール本文（ステップＳ１６にて選択された所定のメッセージ）を記憶部１１０から抽出してメールを生成し（ステップＳ１７）、無線通信部１０１を介して送信先に対しメールの自動送信を行う（ステップＳ１８）。
【００５８】
以上説明した動作について、図３及び図６を参照して具体的に説明する。例えば、図３において、携帯通信端末１００の所持者がエリアＡ（××学校）からエリアＢ（●●駅）へ移動する場合、携帯通信端末１００は、図６に示す入出判定情報に基づいてエリアＡからの“出”を検出すると、移動区間ａにおいて、予め設定されたメール送信先のアドレス「abc@ef.co.jp」に「学校を出たよ！」というメッセージのメールを自動送信する。
【００５９】
また、エリアＢ（●●駅）を出た場合は、制御部１１１は、記憶部１１０に格納される過去の位置情報（位置情報の履歴）を参照して、移動区間ｂの所定の２地点間における移動速度を算出し、この移動速度に基づいて移動手段を判別し、判別した移動手段の種類に基づいて「電車に乗りました（急行）！」又は「電車に乗りました（各停）！」のいずれかのメッセージを選択し、選択したメッセージと、所定の送信先アドレスとを記憶部１１０から抽出し、抽出したメッセージと送信先アドレスとを併せてメールを生成し、そのメールを所定の送信先に自動送信する。本実施例では、図６に示すように「急行」と「各停」とで別々の送信先「abc@ef.co.jp」、「qwe@rt.co.jp」がそれぞれ設定されている。
【００６０】
上記同様に、携帯通信端末１００の所持者がエリアＤ（自宅）に近接した場合は、制御部１１１は、移動区間ｄにおいて過去の位置登録情報を参照して移動速度を判別し、図６に示すメッセージ「もうすぐ家に着きます（徒歩）！」又は「もうすぐ家に着きます（タクシー）！」のいずれかを選択し、選択したメッセージと、所定の送信先アドレス「qwe@rt.co.jp」とを記憶部から抽出し、メッセージと送信先アドレスとを併せてメールを生成し、所定の送信先「qwe@rt.co.jp」にメールを自動送信する。
【００６１】
また、図３において、携帯通信端末１００の所持者がエリアＣにある○○屋（店名）に寄った場合、制御部１１１は、図６に示す入出判定情報に基づいてエリアＣに入った時点で、記憶部１１０から所定のメッセージ「○○屋で買い物して帰ります」と、所定の送信先アドレス「abc@ef.co.jp」とを抽出し、メッセージと送信先アドレスとを併せてメールを生成し、所定の送信先「qwe@rt.co.jp」にメールを自動送信する。
【００６２】
以上説明したように、本発明の実施例１によれば、メールの作成・送信に関する操作の手間が省け、電車や自動車等に乗車（運転）している時など、移動中の場合でもメールを自動送信できるので、運転中等の事故防止に繋がる。また、発信者の移動手段の種類をメールの内容に反映させることができるので、発信者が目的地に到着する時間帯等を受信者側で把握できたり、子供の移動状況を親が把握できたりする等の効果を奏する。
【実施例２】
【００６３】
次に、本発明の実施例２について説明する。本実施例のメール自動送信システム及び携帯通信端末の構成（図１及び図２参照）は、上記実施例１と同様である。本実施例は、上記実施例１の動作（図４参照）を前提として新たな動作を加えたものである。以下、本実施例の動作について、図３、図５、図６を参照して詳細に説明する。
【００６４】
図５は本実施例の携帯通信端末の動作を示すフローチャートである。上記実施例１の動作（図４参照）と同様に、まず、携帯通信端末１００において所定の操作を行い、図６に示す各種情報（メール自動送信情報）を記憶部１１０に予め登録しておく（記憶させる）ものとする。
【００６５】
以上のメール自動送信情報が登録された携帯通信端末１００の動作は、図５に示すように、まず測位部１０２において、ＧＰＳ衛星から例えば所定時間間隔で位置情報の取得を行い（ステップＳ２１）、取得した位置情報を記憶部１１０に登録又は更新する（ステップＳ２２）。なお、ＧＰＳ衛星から取得した位置情報は、履歴として所定の取得回数分が記憶部１１０に格納される。例えば、最新の位置情報から５０回分が格納及び管理される。
【００６６】
次に、携帯通信端末１００の制御部１１１は、測位部１０２により取得した位置情報と、記憶部１１０に格納されているメール送信位置情報（又はエリア情報）との一致／不一致を判定する（ステップＳ２３）。なお、位置又はエリアのどちらか一方でメール自動送信を行うように判定してもよいし、あるいは、位置とエリアの両方でメール自動送信を行うように判定してもよい。
【００６７】
取得した位置情報とメール送信位置情報とが一致する場合（ステップＳ２３／ＹＥＳ）、制御部１１１は、図６に示す入出判定情報（本実施例では移動中か否かの判定基準となる）に基づいて、測位部１０２で取得した位置情報が、所定回数（又は所定時間）継続して同一であるか否か（更新されたか否か）、及び、所定回数（又は所定時間）継続して登録エリア外であるか否か、を判断する（ステップＳ２４）。連続して取得した位置情報が、同一の位置情報である場合、又は、登録エリア外（図３のｅ）の位置情報である場合（Ｓ２４／ＹＥＳ）、携帯通信端末１００の所持者（又は端末自体）が移動していないことになり、制御部１１１は、緊急事態（異常事態）と判断し、予め登録された、送信先のメールアドレス「qwe@rt.co.jp」及び「zxc@vb.co.jp」と、メール本文「異常緊急事態発生！！」とを記憶部１１０から抽出してメールを生成し（ステップＳ２５）、無線通信部１０１を介して送信先に対しメールの自動送信を行う（ステップＳ２６）。
【００６８】
以上説明したように、本発明の実施例２によれば、受信者側で、携帯通信端末所持者（又は携帯通信端末自体）が移動していないことをメールで送受信することができるので、受信者側で、緊急事態（異常事態）の発生を把握したり、端末の置き忘れ等を把握したりすることができる。
【００６９】
以上、本発明の各実施例についてそれぞれ説明したが、上記記載に限定されるものではなく、その要旨を逸脱しない範囲において種々の変形が可能である。
【産業上の利用可能性】
【００７０】
本発明は、携帯電話機やＰＤＡ等、携行可能な移動体通信端末全般に適用できる。
【図面の簡単な説明】
【００７１】
【図１】本発明の実施例であるメール自動送信システムの構成を模式的に示す図である。
【図２】本発明の実施例である携帯通信端末の構成を示すブロック図である。
【図３】本発明の実施例に係る携帯通信端末の移動エリアを模式的に示す図である。
【図４】本発明の実施例１に係る動作を示すフローチャートである。
【図５】本発明の実施例２に係る動作を示すフローチャートである。
【図６】本発明の実施例に係る携帯通信端末に登録される情報例を示す図である。
【符号の説明】
【００７２】
１００    携帯通信端末
１０１    無線通信部
１０２    測位部
１０３    操作部
１０４    表示部
１０５    音声処理部
１０６    スピーカ（受話部）
１０７    マイク（送話部）
１０８    カメラ
１０９    スピーカ（放音部）
１１０    記憶部
１１１    制御部
２００    メールサーバ
３００    通信端末
【図１】
2006243949.tif 000003
【図２】
2006243949.tif 000004
【図３】
2006243949.tif 000005
【図４】
2006243949.tif 000006
【図５】
2006243949.tif 000007
【図６】
2006243949.tif 000008